(57)【要約】【課題】移動部材の移動量を検出する際に、より適切に省電力化を図ること。【解決手段】本発明の移動量検出装置１は、操作によって移動される移動部材１５０と、前記移動部材の移動を検出可能な第１及び第２の移動検出部１６０ａ，１６０ｂと、前記移動部材が操作されたことを検出する待機状態において、前記第１及び第２の移動検出部の一方に通電し、前記第１及び第２の移動検出部のうち通電されている一方によって、前記移動部材が操作されたことを検出し、前記移動部材が操作されたことが検出された場合、前記第１及び第２の移動検出部の他方に通電し、前記第１及び第２の移動検出部の両方によって、前記移動部材の移動量及び移動方向を検出する制御部１２１と、を備え、前記制御部は、設定された切り替え条件に基づいて、前記待機状態において通電される前記第１及び第２の移動検出部を切り替える。【選択図】図５
2014164203.tif 000002
【特許請求の範囲】
【請求項１】
操作によって移動される移動部材と、
前記移動部材の移動を検出可能な第１及び第２の移動検出部と、
前記移動部材が操作されたことを検出する待機状態において、前記第１及び第２の移動検出部の一方に通電し、前記第１及び第２の移動検出部のうち通電されている一方によって、前記移動部材が操作されたことを検出し、前記移動部材が操作されたことが検出された場合、前記第１及び第２の移動検出部の他方に通電し、前記第１及び第２の移動検出部の両方によって、前記移動部材の移動量及び移動方向を検出する制御部と、を備え、
前記制御部は、設定された切り替え条件に基づいて、前記待機状態において通電される前記第１及び第２の移動検出部を切り替えることを特徴とする移動量検出装置。
【請求項２】
請求項１に記載の移動量検出装置であって、
前記制御部は、前記切り替え条件として、前記移動部材の操作が停止されたか否かを判定し、判定結果に応じて、前記待機状態において通電される前記第１及び第２の移動検出部を切り替えることを特徴とする移動量検出装置。
【請求項３】
請求項１に記載の移動量検出装置であって、
前記制御部は、前記切り替え条件として、通電された前記第１又は第２の移動検出部の通電時間が、設定された閾値時間以上となっているか否かを判定し、判定結果に応じて、前記待機状態において通電される前記第１及び第２の移動検出部を切り替えることを特徴とする移動量検出装置。
【請求項４】
光学部材と、
操作によって回転方向に移動される移動部材と、
前記移動部材の回転を検出可能な第１及び第２の回転検出部と、
前記移動部材が操作されたことを検出する待機状態において、前記第１及び第２の回転検出部の一方に通電し、前記第１及び第２の回転検出部のうち通電されている一方によって、前記移動部材が操作されたことを検出し、前記移動部材が操作されたことが検出された場合、前記第１及び第２の回転検出部の他方に通電し、前記第１及び第２の回転検出部の両方によって、前記移動部材の回転量及び回転方向を検出する制御部と、
前記制御部によって検出された前記移動部材の回転量及び回転方向に対応して、前記光学部材を光軸方向に移動させる移動部と、を備え、
前記制御部は、設定された切り替え条件に基づいて、前記待機状態において通電される前記第１及び第２の回転検出部を切り替えることを特徴とするレンズ鏡筒。
【請求項５】
光学部材と、
操作によって回転方向に移動される移動部材と、
前記移動部材の回転を検出可能な第１及び第２の回転検出部と、
前記移動部材が操作されたことを検出する待機状態において、前記第１及び第２の回転検出部の一方に通電し、前記第１及び第２の回転検出部のうち通電されている一方によって、前記移動部材が操作されたことを検出し、前記移動部材が操作されたことが検出された場合、前記第１及び第２の回転検出部の他方に通電し、前記第１及び第２の回転検出部の両方によって、前記移動部材の回転量及び回転方向を検出する制御部と、
前記制御部によって検出された前記移動部材の回転量及び回転方向に対応して、前記光学部材を光軸方向に移動させる移動部と、
前記光学部材を介して結像した被写体像を撮像する撮像部と、を備え、
前記制御部は、設定された切り替え条件に基づいて、前記待機状態において通電される前記第１及び第２の回転検出部を切り替えることを特徴とするカメラ。
【発明の詳細な説明】
【技術分野】
【０００１】
本発明は、移動量検出装置、レンズ鏡筒及びカメラに関する。
【背景技術】
【０００２】
従来、マニュアルフォーカス環を操作することにより、光学系の焦点距離を撮影者が手動で設定可能なカメラが知られている。
このようなカメラにおいては、レンズ鏡筒に備えられたマニュアルフォーカス環を撮影者が操作すると、マニュアルフォーカス環の移動量がセンサによって検出され、移動量に応じたフォーカスレンズの駆動が行われる。
【０００３】
マニュアルフォーカス環を備えたカメラについては、例えば、特許文献１に記載されている。
特許文献１に記載されたカメラでは、予め設定された撮影モードに応じて、マニュアルフォーカス環の移動量を検出するセンサの電源をオンあるいはオフすることにより、省電力化を図っている。
【先行技術文献】
【特許文献】
【０００４】
【特許文献１】特開２００４−４８１６０号公報
【発明の概要】
【発明が解決しようとする課題】
【０００５】
しかしながら、特許文献１に記載された技術においては、センサの電源をオンとする撮影モード時には、センサの電源が常にオンとされているため、十分な省電力化を図れない可能性がある。
即ち、マニュアルフォーカス環等の移動部材の移動量を検出する従来の技術においては、適切に省電力化を図れない可能性がある。
本発明の課題は、移動部材の移動量を検出する際に、より適切に省電力化を図ることである。
【課題を解決するための手段】
【０００６】
本発明は、以下のような解決手段により前記課題を解決する。
請求項１に記載の発明は、操作によって移動される移動部材と、前記移動部材の移動を検出可能な第１及び第２の移動検出部と、前記移動部材が操作されたことを検出する待機状態において、前記第１及び第２の移動検出部の一方に通電し、前記第１及び第２の移動検出部のうち通電されている一方によって、前記移動部材が操作されたことを検出し、前記移動部材が操作されたことが検出された場合、前記第１及び第２の移動検出部の他方に通電し、前記第１及び第２の移動検出部の両方によって、前記移動部材の移動量及び移動方向を検出する制御部と、を備え、前記制御部は、設定された切り替え条件に基づいて、前記待機状態において通電される前記第１及び第２の移動検出部を切り替えることを特徴とする移動量検出装置である。
請求項２に記載の発明は、請求項１に記載の移動量検出装置であって、前記制御部は、前記切り替え条件として、前記移動部材の操作が停止されたか否かを判定し、判定結果に応じて、前記待機状態において通電される前記第１及び第２の移動検出部を切り替えることを特徴とする移動量検出装置である。
請求項３に記載の発明は、請求項１に記載の移動量検出装置であって、前記制御部は、前記切り替え条件として、通電された前記第１又は第２の移動検出部の通電時間が、設定された閾値時間以上となっているか否かを判定し、判定結果に応じて、前記待機状態において通電される前記第１及び第２の移動検出部を切り替えることを特徴とする移動量検出装置である。
請求項４に記載の発明は、光学部材と、操作によって回転方向に移動される移動部材と、前記移動部材の回転を検出可能な第１及び第２の回転検出部と、前記移動部材が操作されたことを検出する待機状態において、前記第１及び第２の回転検出部の一方に通電し、前記第１及び第２の回転検出部のうち通電されている一方によって、前記移動部材が操作されたことを検出し、前記移動部材が操作されたことが検出された場合、前記第１及び第２の回転検出部の他方に通電し、前記第１及び第２の回転検出部の両方によって、前記移動部材の回転量及び回転方向を検出する制御部と、前記制御部によって検出された前記移動部材の回転量及び回転方向に対応して、前記光学部材を光軸方向に移動させる移動部と、を備え、前記制御部は、設定された切り替え条件に基づいて、前記待機状態において通電される前記第１及び第２の回転検出部を切り替えることを特徴とするレンズ鏡筒である。
請求項５に記載の発明は、光学部材と、操作によって回転方向に移動される移動部材と、前記移動部材の回転を検出可能な第１及び第２の回転検出部と、前記移動部材が操作されたことを検出する待機状態において、前記第１及び第２の回転検出部の一方に通電し、前記第１及び第２の回転検出部のうち通電されている一方によって、前記移動部材が操作されたことを検出し、前記移動部材が操作されたことが検出された場合、前記第１及び第２の回転検出部の他方に通電し、前記第１及び第２の回転検出部の両方によって、前記移動部材の回転量及び回転方向を検出する制御部と、前記制御部によって検出された前記移動部材の回転量及び回転方向に対応して、前記光学部材を光軸方向に移動させる移動部と、前記光学部材を介して結像した被写体像を撮像する撮像部と、を備え、前記制御部は、設定された切り替え条件に基づいて、前記待機状態において通電される前記第１及び第２の回転検出部を切り替えることを特徴とするカメラである。
【発明の効果】
【０００７】
移動部材の移動量を検出する際に、より適切に省電力化を図ることが可能となる。
【図面の簡単な説明】
【０００８】
【図１】本発明の一実施形態であるカメラを示す模式図である。
【図２】フォトインタラプタの回路構成を示す図である。
【図３】フォトインタラプタの設置位置の関係を示す図である。
【図４】カメラの制御系統の機能構成を示すブロック図である。
【図５】マイコンによって実行されるＰＩ切り替え処理を示すフローチャートである。
【図６】マニュアルフォーカス環が操作された場合のフォトインタラプタそれぞれの検出信号の波形例を示す図である。
【図７】マニュアルフォーカス環が操作された場合のフォトインタラプタの検出信号の関係を示す模式図である。
【図８】マイコンによって実行されるＰＩ切り替え処理を示すフローチャートである。
【発明を実施するための形態】
【０００９】
以下、図面を参照して、本発明の一実施形態について説明する。
（第１実施形態）
（全体構成）
図１は、本発明の一実施形態であるカメラ１を示す模式図である。
図１には、説明と理解を容易にするために、ＸＹＺ直交座標系を設けた。この座標系では、撮影者が光軸ＯＡを水平として横長の画像を撮影する場合のカメラ１の位置（以下、正位置という）において撮影者から見て左側に向かう方向をＸ軸プラス方向、正位置において上側に向かう方向をＹ軸プラス方向、正位置において被写体に向かう方向をＺ軸プラス方向とする。
【００１０】
図１において、カメラ１は、カメラ本体１０と、レンズ鏡筒１００とを備えている。
レンズ鏡筒１００は、本発明に係る移動量検出装置をマニュアルフォーカス環の移動量（回転量）を検出する場合に適用した一例を示している。
カメラ本体１０は、撮像素子１１と、マイコン１２と、マウント部１３とを備えている。
撮像素子１１は、マイコン１２の指示信号に従って、レンズ鏡筒１００によって結像された光学的な被写体像を電気信号に変換する。そして、カメラ本体１０は、マイコン１２の指示信号に従って、撮像素子１１によって変換された被写体像の電気信号が表す画像のデータを、図示しないメモリに画像情報として記録する。
マイコン１２は、カメラ１全体を制御し、撮像に関する各種制御を実行する。例えば、マイコン１２は、カメラ１おける撮像時に、シャッタ及び絞りの制御を行ったり、ストロボの発光の制御を行ったりする。また、マイコン１２は、撮像素子１１に対して、撮像の指示信号を出力し、撮像素子１１から出力される撮像画像のデータを図示しないメモリに画像情報として記録する。
【００１１】
マウント部１３は、バヨネット結合によりレンズ鏡筒１００のマウント受け部１１０と結合する構造を有している。また、マウント部１３は、複数の電気接点１３ａを備えており、これらの電気接点１３ａは、レンズ鏡筒１００のマウント受け部１１０に備えられた複数の電気接点１１０ａと対応する位置に形成されている。そして、マウント部１３の電気接点１３ａとマウント受け部１１０の電気接点１１０ａとが接触することにより、カメラ本体１０とレンズ鏡筒１００とが電気信号の授受を行う。
【００１２】
レンズ鏡筒１００は、マウント受け部１１０と、基板１２０と、モータ１３０と、絞り機構１４０と、マニュアルフォーカス環１５０と、フォトインタラプタ１６０ａ，１６０ｂと、レンズＬ１，Ｌ２とを備えている。
マウント受け部１１０は、バヨネット結合によりカメラ本体１０のマウント部１３と結合する構造を有している。また、マウント受け部１１０は、複数の電気接点１１０ａを備えており、これらの電気接点１１０ａは、カメラ本体１０のマウント部１３に備えられた複数の電気接点１３ａと対応する位置に形成されている。そして、マウント受け部１１０の電気接点１１０ａとマウント部１３の電気接点１３ａとが接触することにより、レンズ鏡筒１００とカメラ本体１０とが電気信号の授受を行う。
【００１３】
基板１２０には、マウント受け部１１０の電気接点１１０ａに接続された回路が形成されており、マイコン１２１と、ドライバ１２２とが実装されている（図２参照）。
モータ１３０は、ドライバ１２２から入力される駆動信号に応じて、レンズＬ１を光軸ＯＡ方向に移動させる。
絞り機構１４０は、光を遮る遮蔽部材を複数備え、これら遮蔽部材によって形成される開口部の面積を変化させることにより、レンズＬ２に入射する光量を調整する。
【００１４】
マニュアルフォーカス環１５０は、撮影者によって回転されることにより、手動による焦点距離の調節を行うための部材である。マニュアルフォーカス環１５０の内周面には、周方向に一定の間隔で同一形状（略方形）の遮蔽板が備えられている。この遮蔽板がフォトインタラプタ１６０ａ，１６０ｂの受光素子に入射する光を遮ることにより、フォトインタラプタ１６０ａ，１６０ｂの検出信号に変化を生じさせ、マニュアルフォーカス環の操作量（移動量）が検出される。
【００１５】
次に、フォトインタラプタ１６０ａ，１６０ｂの構成について説明する。
図２は、フォトインタラプタ１６０ａ，１６０ｂの回路構成を示す図である。
なお、フォトインタラプタ１６０ａ，１６０ｂの回路構成は同様となっている。
図２に示すように、フォトインタラプタ１６０ａは、発光ダイオード１６１ａと受光素子１６２ａとが対となって構成するセンサである。フォトインタラプタ１６０ａの受光素子１６２ａの検出信号は、マイコン１２１に出力される。
また、フォトインタラプタ１６０ｂは、発光ダイオード１６１ｂと受光素子１６２ｂとが対となって構成するセンサである。フォトインタラプタ１６０ｂの受光素子１６２ｂの検出信号は、マイコン１２１に出力される。
【００１６】
これらフォトインタラプタ１６０ａ，１６０ｂは、オンあるいはオフをマイコン１２１によって制御される。
フォトインタラプタ１６０ａ，１６０ｂの検出信号は、受光素子１６２ａ，１６２ｂの受光量に対応したレベルの信号となり、発光ダイオード１６１ａ，１６１ｂの発光量（輝度）に対応して、ハイレベルの検出信号と判定するための閾値Ｔｈが予め決定されている。
ここで、発光ダイオード１６１ａ，１６１ｂの発光量（輝度）は、経年劣化によって低下することが知られており、発光ダイオード１６１ａ，１６１ｂの発光量（輝度）が閾値Ｔｈよりも低下すると、フォトインタラプタ１６０ａ，１６０ｂの寿命となる。
【００１７】
本実施形態においては、フォトインタラプタ１６０ａ，１６０ｂの使用状態を均等化するための処理（ＰＩ切り替え処理）が行われるため、２相のフォトインタラプタ１６０ａ，１６０ｂの双方をより寿命に近い状態まで使用することができる。即ち、フォトインタラプタ１６０ａ，１６０ｂの一方に負荷が集中し、一方のみが早期に寿命に至る事態を防止できることから、フォトインタラプタ１６０ａ，１６０ｂ全体としての寿命を延ばすことが可能となる。
【００１８】
図３は、フォトインタラプタ１６０ａ，１６０ｂの設置位置の関係を示す図である。
図３において、フォトインタラプタ１６０ａとフォトインタラプタ１６０ｂとは、マニュアルフォーカス環１５０の遮蔽部材の周方向における設置間隔の周期に対して、互いに９０度（１／４周期）ずれた位相となるように設置されている。
即ち、フォトインタラプタ１６０ａ，１６０ｂは、互いの遮蔽部材の検出タイミングによってマニュアルフォーカス環１５０の回転方向が検出可能な設置位置の関係となっている。
【００１９】
具体的には、マニュアルフォーカス環１５０が一方に回転された場合に、遮蔽部材がフォトインタラプタ１６０ａの受光素子１６２ａに入射する光を遮ってから、１／４周期遅れて、いずれかの遮蔽板がフォトインタラプタ１６０ｂの受光素子１６２ｂに入射する光を遮る位置関係となっている。また、マニュアルフォーカス環１５０が逆方向に回転された場合には、遮蔽部材がフォトインタラプタ１６０ｂの受光素子１６２ｂに入射する光を遮ってから、１／４周期遅れて、いずれかの遮蔽板がフォトインタラプタ１６０ａの受光素子１６２ａに入射する光を遮る位置関係となっている。これにより、マイコン１２１では、マニュアルフォーカス環１５０の回転方向が検出可能となる。
レンズＬ１は、対物側に設置されたレンズであり、被写体からの光をレンズＬ２側に集光する。また、レンズＬ１は、モータ１３０によって光軸ＯＡ方向に移動される。
レンズＬ２は、レンズＬ１によって集光された被写体からの光を撮像素子１１上に結像させる。
【００２０】
（制御系統の機能構成）
次に、カメラ１の制御系統の機能構成について説明する。
図４は、カメラ１の制御系統の機能構成を示すブロック図である。
なお、図４においては、マニュアルフォーカス環１５０に対する操作が行われた場合に、焦点距離の調節に関する動作を行うための機能構成について主として説明する。
図４において、カメラ１は、カメラ本体１０側に、撮像素子１１と、マイコン１２と、を備え、レンズ鏡筒１００側に、フォトインタラプタ１６０ａ，１６０ｂと、マイコン１２１と、ドライバ１２２と、モータ１３０と、を備えている。
【００２１】
撮像素子１１は、例えばＣＭＯＳ（Complementary Metal Oxide Semiconductor）センサ等によって構成され、マイコン１２による露光の開始あるいは終了等を指示する信号に従って、被写体像を撮像し、撮像によって得られた被写体像を電気信号として出力する。
マイコン１２は、カメラ１全体を制御し、撮像に関する各種制御を実行する。なお、本実施形態において、マニュアルフォーカス環１５０の操作が行われた場合の動作は、レンズ鏡筒１００側のマイコン１２１によって制御されるものとして説明するが、カメラ本体１０側のマイコン１２において制御することも可能である。この場合、マイコン１２が後述するＰＩ切り替え処理を実行し、ドライバ１２２の制御や、フォトインタラプタ１６０ａ，１６０ｂのオンあるいはオフの制御を行う。
【００２２】
フォトインタラプタ１６０ａ，１６０ｂは、マイコン１２１によって、通電のオンあるいはオフが制御される。また、フォトインタラプタ１６０ａ，１６０ｂは、通電されている状態においてマニュアルフォーカス環１５０の遮蔽部材が通過した場合に、受光素子１６２ａ，１６２ｂの検出信号がハイレベル（即ち、設定された閾値以上の出力レベル）からローレベル（即ち、設定された閾値未満の出力レベル）に変化する。フォトインタラプタ１６０ａ，１６０ｂの検出信号は、マイコン１２１に入力される。
ここで、フォトインタラプタ１６０ａ，１６０ｂの設置位置は、上述のように、マニュアルフォーカス環１５０の遮蔽部材の設置間隔の周期に対して、互いに９０度（１／４周期）ずれた位相となるように設置されている。そのため、マニュアルフォーカス環１５０がいずれの方向に回転された場合であっても、フォトインタラプタ１６０ａ，１６０ｂの一方の検出信号が先にローレベルとなり、約１／４周期遅れて、他方の検出信号がローレベルとなる。したがって、マニュアルフォーカス環１５０の回転方向を適確に検出できる。
【００２３】
マイコン１２１は、フォトインタラプタ１６０ａ，１６０ｂから出力される検出信号に応じて、ドライバ１２２にモータ１３０の駆動を指示する信号を出力する。また、マイコン１２１は、後述するＰＩ切り替え処理を実行し、フォトインタラプタ１６０ａ，１６０ｂのオン及びオフを制御する。さらに、マイコン１２１は、カメラ本体１０のマイコン１２から指示されるオートフォーカスあるいはズームに関する指示信号に従って、ＡＦレンズあるいはズームレンズを駆動するための指示信号を生成する。また、マイコン１２１は、マニュアルフォーカス環１５０の回転開始や停止、あるいは、その回転方向を検出したり、マニュアルフォーカス環１５０の操作量及び操作方向に応じて、レンズＬ１を光軸ＯＡ方向に移動させたりする。
【００２４】
ドライバ１２２は、マイコン１２１によって出力されたモータ１３０の駆動を指示する信号に応じて、モータ１３０を駆動する信号（ＰＷＭ信号等）を出力し、モータ１３０の動作を直接制御する。
モータ１３０は、ドライバ１２２によって出力された駆動を指示する信号に対応して回転動作を行い、レンズＬ１を光軸ＯＡ方向に移動させる。これにより、レンズＬ１がマイコン１２１の指示に応じた距離だけ光軸ＯＡ方向に移動される。
【００２５】
（ＰＩ切り替え処理）
次に、マイコン１２１が実行するＰＩ（Photo Interrupter）切り替え処理について説明する。
図５は、マイコン１２１によって実行されるＰＩ切り替え処理を示すフローチャートである。
図５に示すＰＩ切り替え処理は、カメラ１の電源投入と共に繰り返し実行される。
【００２６】
（ステップＳ１）
ＰＩ切り替え処理が開始されると、ステップＳ１において、マイコン１２１は、マニュアルフォーカス環１５０の操作が行われるのを待つ待機状態となり、フォトインタラプタ１６０ａ，１６０ｂのうちの一方をオンとし、他方をオフのままとする。このとき、マイコン１２１は、カメラ１における前回の電源オフ時にフォトインタラプタ１６０ａ，１６０ｂの一方のみがオンとされていた場合、他方をオンとする。なお、ステップＳ１において、オンとするフォトインタラプタ１６０ａ，１６０ｂをランダムに選択することとしても良い。
ステップＳ１においてオンとされるフォトインタラプタ１６０ａ，１６０ｂの一方を、以下、「待機用ＰＩ」と称する。
【００２７】
（ステップＳ２）
ステップＳ２において、マイコン１２１は、ステップＳ１においてオンとされたフォトインタラプタ１６０ａ，１６０ｂの一方（待機用ＰＩ）において、検出信号に変化があるか否か（即ち、検出信号がハイレベルからローレベルに変化したか否か）の判定を行う。
ステップＳ２において、検出信号に変化がないと判定した場合、マイコン１２１は、ステップＳ２の処理を繰り返す。
ステップＳ２において、検出信号に変化があると判定した場合、マイコン１２１は、ステップＳ３の処理に移行する。
【００２８】
（ステップＳ３）
ステップＳ３において、マイコン１２１は、マニュアルフォーカス環１５０の操作量（回転量）を検出する回転量検出状態となり、フォトインタラプタ１６０ａ，１６０ｂのうち、オフとされているものをオンとする。
ステップＳ３においてオンとされるフォトインタラプタ１６０ａ，１６０ｂの一方を、以下、「追加点灯ＰＩ」と称する。
【００２９】
（ステップＳ４）
ステップＳ４において、マイコン１２１は、フォトインタラプタ１６０ａ，１６０ｂ（待機用ＰＩ及び追加点灯ＰＩ）から入力される検出信号のパルス（ハイレベル及びローレベルの振幅変化）のカウントを開始する。
図６は、マニュアルフォーカス環１５０が操作された場合のフォトインタラプタ１６０ａ，１６０ｂそれぞれの検出信号の波形例を示す図である。
また、図７は、マニュアルフォーカス環１５０が操作された場合のフォトインタラプタ１６０ａ，１６０ｂの検出信号の関係を示す模式図である。
【００３０】
図６及び図７に示すように、マニュアルフォーカス環１５０が撮影者によって手動で操作されると、フォトインタラプタ１６０ａ，１６０ｂから、それぞれパルス状の検出信号が出力される（時刻ｔ１〜ｔ１２）。
このとき出力される検出信号それぞれは、手動操作されるために、時間軸上においては、周波数にむらが生じる。一方、フォトインタラプタ１６０ａ，１６０ｂの検出信号は相関性を有しており、図７に示す例では、フォトインタラプタ１６０ａの検出信号に対して、フォトインタラプタ１６０ｂの検出信号が１／４周期遅れた関係となっている。なお、マニュアルフォーカス環１５０の回転方向が逆となった場合、図７に示す例とは反対に、フォトインタラプタ１６０ｂの検出信号に対して、フォトインタラプタ１６０ａの検出信号が１／４周期遅れた関係となる。
そのため、マイコン１２１は、フォトインタラプタ１６０ａの検出信号とフォトインタラプタ１６０ｂの検出信号のいずれが先にハイレベルとなるかを判定することで、マニュアルフォーカス環１５０の回転方向を検出することができる。
【００３１】
（ステップＳ５）
ステップＳ５において、マイコン１２１は、カウントされたパルス数に応じたモータ１３０の駆動を指示する信号をドライバ１２２に出力し、レンズＬ１を駆動する。このとき、マイコン１２１は、ステップＳ４において検出されるマニュアルフォーカス環１５０の回転方向に応じて、モータ１３０の回転方向を決定する。これにより、マニュアルフォーカス環１５０の操作量及び操作方向に応じたレンズＬ１の移動が実現される。
【００３２】
（ステップＳ６）
ステップＳ６において、マイコン１２１は、設定された待機時間（例えば１０秒）以上、カウントされたパルス数がゼロであるか否かの判定を行う。即ち、ステップＳ６では、設定された待機時間以上、マニュアルフォーカス環１５０の操作が行われていないか否かが判定される。このとき、設定された待機時間の経過を待って、カウントされたパルス数がゼロであることを判定しているため、マニュアルフォーカス環１５０の操作が停止されたか否かを適確に判定することができる。
ステップＳ６において、設定された待機時間以上、カウントされたパルス数がゼロであると判定した場合、マイコン１２１は、ステップＳ７の処理に移行する。
ステップＳ６において、設定された待機時間以上、カウントされたパルス数がゼロでないと判定した場合、マイコン１２１は、ステップＳ８の処理に移行する。
【００３３】
（ステップＳ７）
ステップＳ７において、マイコン１２１は、フォトインタラプタ１６０ａ，１６０ｂのうち、ステップＳ３でオンとしたもの（追加点灯ＰＩ）をオンのままとし、他方（待機用ＰＩ）をオフとする。即ち、ステップＳ７においては、ステップＳ２で検出信号の変化を判定するために用いるフォトインタラプタ１６０ａ，１６０ｂを前回のものと切り替えている。
【００３４】
このように、本実施形態におけるＰＩ切り替え処理では、予め定めた切り替え条件に従って、待機状態において検出信号の変化を判定するために用いるフォトインタラプタ１６０ａ，１６０ｂ（待機用ＰＩ）を切り替えている。この予め定めた切り替え条件とは、具体的には、マニュアルフォーカス環１５０が操作される毎（一連の動作が終了する毎）にフォトインタラプタ１６０ａ，１６０ｂを切り替えるというものである。
ステップＳ７の処理の後、マイコン１２１は、ステップＳ２の処理に移行する。
【００３５】
（ステップＳ８）
ステップＳ８において、マイコン１２１は、パルスのカウント値をリセットし、ステップＳ４の処理に移行する。
【００３６】
以上、本実施形態によると、以下の効果を有する。
（１）マイコン１２１が、待機状態においてマニュアルフォーカス環１５０の操作の検出に用いるフォトインタラプタ１６０ａ，１６０ｂを、マニュアルフォーカス環１５０が操作される毎（一連の動作が終了する毎）に切り替える。
そのため、マニュアルフォーカス環１５０の操作頻度に対して、待機状態において検出信号の変化を判定するために用いられるフォトインタラプタ１６０ａ，１６０ｂの使用頻度を均等化できる。
したがって、マニュアルフォーカス環１５０の操作量を検出する際に、より適切に省電力化を図ることが可能となる。
【００３７】
（２）使用頻度を均等化しない場合に比べて、フォトインタラプタ１６０ａ，１６０ｂの発光ダイオード１６１ａ，１６１ｂの発光量（輝度）の低下度合いがより小さくなるため、発光ダイオード１６１ａ，１６１ｂが寿命となるまでの時間をより長くすることができる。
また、発光ダイオード１６１ａ，１６１ｂの発光量（輝度）の低下度合いをより小さくできることから、発光ダイオード１６１ａ，１６１ｂに要求される設置当初の発光量（輝度）を低下させることができる。この場合、発光ダイオード１６１ａ，１６１ｂの消費電力を抑制できると共に、より低価格の素子を発光ダイオード１６１ａ，１６１ｂとして採用することが可能となる。
【００３８】
（第２実施形態）
次に、本発明の第２実施形態について説明する。
第２実施形態におけるカメラ１は、第１実施形態における図１〜４と同様の構成を備えている。
一方、第２実施形態においては、ＰＩ切り替え処理の内容が、第１実施形態における図５のＰＩ切り替え処理と異なっている。
したがって、以下、異なる部分であるＰＩ切り替え処理について説明する。
【００３９】
（ＰＩ切り替え処理）
図８は、マイコン１２１によって実行されるＰＩ切り替え処理を示すフローチャートである。
図８に示すＰＩ切り替え処理は、カメラ１の電源投入と共に繰り返し実行される。
【００４０】
（ステップＳ１）
ＰＩ切り替え処理が開始されると、ステップＳ１において、マイコン１２１は、マニュアルフォーカス環１５０の操作が行われるのを待つ待機状態となり、フォトインタラプタ１６０ａ，１６０ｂのうちの一方（待機用ＰＩ）をオンとし、他方をオフのままとする。このとき、マイコン１２１は、カメラ１における前回の電源オフ時にフォトインタラプタ１６０ａ，１６０ｂの一方のみがオンとされていた場合、他方をオンとする。また、ステップＳ２１において、Ｙｅｓと判定されてステップＳ１に処理が移行した場合、前回、オンとしたフォトインタラプタ１６０ａ，１６０ｂとは異なる方をオンとする。なお、ステップＳ１において、マイコン１２１は、オンとした待機用ＰＩの通電時間のカウントを開始する。
【００４１】
（ステップＳ２）
ステップＳ２において、マイコン１２１は、ステップＳ１においてオンとされたフォトインタラプタ１６０ａ，１６０ｂの一方（待機用ＰＩ）において、検出信号に変化があるか否か（即ち、検出信号がハイレベルからローレベルに変化したか否か）の判定を行う。
ステップＳ２において、検出信号に変化がないと判定した場合、マイコン１２１は、ステップＳ２１の処理に移行する。
ステップＳ２において、検出信号に変化があると判定した場合、マイコン１２１は、ステップＳ３の処理に移行する。
【００４２】
（ステップＳ２１）
ステップＳ２１において、マイコン１２１は、待機用ＰＩとしてオンとされたフォトインタラプタ１６０ａ，１６０ｂの通電時間が、設定された第１の閾値時間以上となっているか否かの判定を行う。
ステップＳ２１において、待機用ＰＩとしてオンとされたフォトインタラプタ１６０ａ，１６０ｂの通電時間が、設定された第１の閾値時間以上でないと判定した場合、マイコン１２１は、ステップＳ２の処理に移行する。
ステップＳ２１において、待機用ＰＩとしてオンとされたフォトインタラプタ１６０ａ，１６０ｂの通電時間が、設定された第１の閾値以上であると判定した場合、マイコン１２１は、ステップＳ１の処理に移行する。
図８において、ステップＳ３〜ステップＳ５の処理は、図５に示すＰＩ切り替え処理と同様である。ただし、本実施形態において、ステップＳ４で追加点灯ＰＩをオンとした際、マイコン１２１は、追加点灯ＰＩとしてオンとされたフォトインタラプタ１６０ａ，１６０ｂの通電時間のカウントを開始する。
【００４３】
（ステップＳ６）
ステップＳ６において、マイコン１２１は、設定された待機時間（例えば１０秒）以上、カウントされたパルス数がゼロであるか否かの判定を行う。即ち、ステップＳ６では、設定された待機時間以上、マニュアルフォーカス環１５０の操作が行われていないか否かが判定される。このとき、設定された待機時間の経過を待って、カウントされたパルス数がゼロであることを判定しているため、マニュアルフォーカス環１５０の操作が停止されたか否かを適確に判定することができる。
ステップＳ６において、設定された待機時間以上、カウントされたパルス数がゼロであると判定した場合、マイコン１２１は、ステップＳ６１の処理に移行する。
ステップＳ６において、設定された待機時間以上、カウントされたパルス数がゼロでないと判定した場合、マイコン１２１は、ステップＳ８の処理に移行する。
【００４４】
（ステップＳ６１）
ステップＳ６１において、マイコン１２１は、ステップＳ１で待機用ＰＩとしてオンとされたフォトインタラプタ１６０ａ，１６０ｂの通電時間が、設定された第２の閾値時間以上となっているか否かの判定を行う。
ステップＳ６１において、ステップＳ１で待機用ＰＩとしてオンとされたフォトインタラプタ１６０ａ，１６０ｂの通電時間が、設定された第２の閾値時間以上であると判定した場合、マイコン１２１は、ステップＳ７の処理に移行する。
ステップＳ６１において、ステップＳ１で待機用ＰＩとしてオンとされたフォトインタラプタ１６０ａ，１６０ｂの通電時間が、設定された第２の閾値時間以上でないと判定した場合、マイコン１２１は、ステップＳ２の処理に移行する。
【００４５】
本実施形態においては、予め定めた切り替え条件として、各フォトインタラプタ１６０ａ，１６０ｂの通電時間が、設定された時間（第１の閾値時間及び第２の閾値時間）以上となっているか否かに従って、フォトインタラプタ１６０ａ，１６０ｂ（待機用ＰＩ）を切り替えている。
これにより、通電時間に応じて、待機用ＰＩを切り替えるため、待機状態において検出信号の変化を判定するために用いられるフォトインタラプタ１６０ａ，１６０ｂの通電時間を均等化できる。
【００４６】
以上、本実施形態によると、以下の効果を有する。
（１）マイコン１２１が、待機状態においてマニュアルフォーカス環１５０の操作の検出に用いるフォトインタラプタ１６０ａ，１６０ｂを、各フォトインタラプタ１６０ａ，１６０ｂの通電時間が、設定された時間（第１の閾値時間及び第２の閾値時間）以上となっているか否か基づいて切り替える。
そのため、通電時間に応じて、待機用ＰＩを切り替えるため、待機状態において検出信号の変化を判定するために用いられるフォトインタラプタ１６０ａ，１６０ｂの通電時間を均等化できる。
したがって、マニュアルフォーカス環１５０の操作量を検出する際に、より適切に省電力化を図ることが可能となる。
【００４７】
（変形形態）
以上、説明した実施形態に限定されることなく、以下に示すような種々の変形や変更が可能であり、それらも本発明の範囲内である。
（１）上記各実施形態において、図５及び図９のＰＩ切り替え処理のステップＳ２では、待機用ＰＩの検出信号に変化があるか否かを検出し、変化があると判定された場合に、回転量検出状態に移行するものとして説明した。
これに対し、待機用ＰＩの検出信号に設定されたパルス数以上（例えば、２パルス以上）の変化があるか否かを検出し、設定されたパルス数以上の変化があると判定された場合に、回転量検出状態に移行することが可能である。
この場合、マニュアルフォーカス環１５０の操作に遊びを設けることができ、撮影者の操作に対してモータ１３０が応答する際の感度調整を行うことが可能となる。
なお、モータ１３０の制御には、この遊び部分を設け、ＰＩ切り替え処理においては、遊びをなくして処理を行うこととしても良い。
この場合、撮影者の操作にはモータ１３０の応答が敏感になり過ぎることなく、フォトインタラプタ１６０ａ，１６０ｂの切り替えは、より正確に行うことが可能となる。
【００４８】
（２）上記各実施形態において、マニュアルフォーカス環１５０の単位操作量に対して、モータ１３０の駆動量を一定とすることや、モータ１３０の駆動量を異ならせることが可能である。
マニュアルフォーカス環１５０の単位操作量に対して、モータ１３０の駆動量を異ならせることとした場合、例えば、マニュアルフォーカス環１５０の操作速度（回転速度）が早い場合、マニュアルフォーカス環１５０の単位操作量に対するモータ１３０の駆動量を大きくし、マニュアルフォーカス環１５０の操作速度（回転速度）が遅い場合、マニュアルフォーカス環１５０の単位操作量に対するモータ１３０の駆動量を小さくすることが可能である。
これにより、撮影者の操作状態に応じた適切な焦点距離の調節が可能となる。
【符号の説明】
【００４９】
１：カメラ（移動量検出装置）、１１：撮像素子（撮像部）、１００：レンズ鏡筒、１２１：マイコン（制御部）、１３０：モータ（移動部）、１５０：マニュアルフォーカス環（移動部材）、１６０ａ，１６０ｂ：フォトインタラプタ（第１及び第２の移動検出部）、Ｌ１：光学部材
【図１】
2014164203.tif 000003
【図２】
2014164203.tif 000004
【図３】
2014164203.tif 000005
【図４】
2014164203.tif 000006
【図５】
2014164203.tif 000007
【図６】
2014164203.tif 000008
【図７】
2014164203.tif 000009
【図８】
2014164203.tif 000010